Podtech/llm-jp-corpus-v4-ja_patent huggingface dataset:
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
始動条件の成立により判定を行うとともに図柄の変動を行い、所定の図柄の組み合わせが表示された場合に遊技利益を付与する遊技機において、
画像を表示する表示画面を有する表示装置と、
第１位置と、前記表示画面に沿った第２位置と、に移動可能である第１装飾部材と、
一つの前記第１装飾部材に対して第１の状態から前記第１の状態と異なる第２の状態となるように変位可能に設けられる複数の第２装飾部材と、を備え、
前記第１の状態は、前記一つの第１装飾部材の状態によって、複数の前記第２装飾部材が外部から視認性が抑制される状態であり、
前記第２の状態は、前記第１の状態よりも外部から視認性が高い状態であり、
複数の前記第２装飾部材は、前記第１装飾部材が前記第１位置から前記第２位置へ移動した場合に、前記第１の状態から前記第２の状態に変位可能に構成されている
ことを特徴とする遊技機。
【請求項２】
前記第１装飾部材が前記第１位置に位置するときには、複数の前記第２装飾部材は変位しないことを特徴とする請求項１に記載の遊技機。
【手続補正２】
【補正対象書類名】明細書
【補正対象項目名】０００７
【補正方法】変更
【補正の内容】
【０００７】
本発明に係る遊技機（１）は、始動条件の成立により判定を行うとともに図柄の変動を行い、所定の図柄の組み合わせが表示された場合に遊技利益を付与する遊技機であって、画像を表示する表示画面（１０３ａ）を有する表示装置（１０３）と、第１位置と、前記表示画面に沿った第２位置と、に移動可能である第１装飾部材（３００３）と、一つの前記第１装飾部材に対して第１の状態から前記第１の状態と異なる第２の状態となるように変位可能に設けられる複数の第２装飾部材（３２０１ａ〜３２０１ｄ、４１０１ａ、４１０１ｂ、４１０２ａ、４１０２ｂ、４２０１ａ、４２０１ｂ、４２０２ａ、４２０２ｂ）と、を備え、前記第１の状態は、前記一つの第１装飾部材の状態によって、複数の前記第２装飾部材が外部から視認性が抑制される状態であり、前記第２の状態は、前記第１の状態よりも外部から視認性が高い状態であり、複数の前記第２装飾部材は、前記第１装飾部材が前記第１位置から前記第２位置へ移動した場合に、前記第１の状態から前記第２の状態に変位可能に構成されていることを特徴とする。
【手続補正３】
【補正対象書類名】明細書
【補正対象項目名】０００８
【補正方法】変更
【補正の内容】
【０００８】
また本発明に係る遊技機は、前記第１装飾部材が前記第１位置に位置するときには、複数の前記第２装飾部材は変位しないことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】０５９０
【補正方法】変更
【補正の内容】
【０５９０】
１…遊技機、１０３…液晶表示装置（表示装置）、１０３ａ…表示画面、３００３…基部（第１装飾部材）、３２０１ａ〜３２０１ｄ，４１０１ａ、４１０１ｂ、４１０２ａ、４１０２ｂ、４２０１ａ，４２０１ｂ，４２０２ａ，４２０２ｂ…発光部材（第２装飾部材）
【手続補正書】
【提出日】平成29年5月8日(2017.5.8)
【手続補正１】
【補正対象書類名】特許請求の範囲
【補正対象項目名】全文
【補正方法】変更
【補正の内容】
【特許請求の範囲】
【請求項１】
酸化剤の存在下で、ＮＯｘを還元するための三元触媒材料であって、
前記三元触媒材料は、化学式ＢａＡｙＤｚＣｅ（１−ｙ−ｚ）Ｏ３−δを有するドープされたバリウムセラートマトリックスを含み、
式中、Ａは、Ｒｕ、Ａｕ、Ａｇ、Ｐｄ、Ｐｔ、ＩｒおよびＲｈからなる群から選択される少なくとも１つの貴金属であり、Ｄは、Ｔｉ、Ｖ、Ｍｎ、Ｆｅ、Ｃｏ、Ｎｉ、ＣｕおよびＹからなる群から選択される少なくとも１つの遷移金属であり、
ｙは、０．０１以上０．２０以下の値であり、
ｚは、０．０以上０．２０以下の値であり、
前記ドープされたバリウムセラートマトリックスは、ＣＯと未燃焼ＨＣとＮＯｘとを含む燃焼後の燃料−空気の雰囲気の下で、ＣＯをＣＯ２に酸化し、未燃焼ＨＣをＣＯ２およびＨ２Ｏに酸化し、ＮＯｘをＮ２およびＯ２に還元する外表面を有する、三元触媒材料。
【請求項２】
前記Ａは、Ｒｕ、Ａｕ、Ａｇ、Ｐｄ、Ｐｔ、ＩｒおよびＲｈからなる群から選択される少なくとも１つの貴金属である、請求項１に記載の三元触媒材料。
【請求項３】
前記Ａは、ＰｄおよびＲｈからなる群から選択される少なくとも１つの貴金属である、請求項２に記載の三元触媒材料。
【請求項４】
前記Ａは、Ｐｄと、Ｐｔ、ＩｒおよびＲｈのうち少なくとも１つとの組合わせである、請求項３に記載の三元触媒材料。
【請求項５】
前記ｚは、０．０１以上０．２０以下の値である、請求項４に記載の三元触媒材料。
【請求項６】
前記外表面は、複数のＣＯ酸化触媒部位と、複数のＮＯｘ還元触媒部位とを有し、
前記複数のＮＯｘ還元触媒部位は、前記外表面上で、前記複数のＣＯ酸化触媒部位と異なる位置にある、請求項５に記載の三元触媒材料。
【請求項７】
前記外表面は、前記Ａからなるナノ粒子および前記Ｄからなるナノ粒子を含まない、請求項６に記載の三元触媒材料。
【請求項８】
還元性雰囲気の下であっても酸化性雰囲気の下であっても、請求項７に記載の三元触媒材料を用いて、他のガスを酸化するとともに、ＮＯｘを還元するための方法であって、
ＣＯと未燃焼ＨＣとＮＯｘとを含む燃焼後の燃料−空気の雰囲気を提供する工程と、
前記燃焼後の燃料−空気の雰囲気を前記三元触媒材料の外表面上に通過させる工程とを備え、
前記三元触媒材料の前記外表面は、同一の燃料−空気の雰囲気の下で、ＣＯをＣＯ２に酸化し、未燃焼ＨＣをＣＯ２およびＨ２Ｏに酸化し、ＮＯｘをＮ２およびＯ２に還元する、方法。
【請求項９】
前記燃焼後の燃料−空気の雰囲気は、酸化性雰囲気である、請求項８に記載の方法。
【請求項１０】
前記ＣＯは、前記複数のＣＯ酸化触媒部位でＣＯ２に酸化され、
前記ＮＯｘは、前記複数のＮＯｘ還元触媒部位でＮ２およびＯ２に還元される、請求項９に記載の方法。
【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
マルチモード胸部ｘ線撮像システムであって、
ｘ線源を含むチューブアームアセンブリと、
フェイスシールドおよびｘ線受像器を含む圧迫アームアセンブリであって、前記フェイスシールドは、概して前記ｘ線源と前記ｘ線受像器との間に配置されている、圧迫アームアセンブリと
を含み、
前記ｘ線源および前記ｘ線受像器は、少なくとも２つの撮像モードを用いて画像を生成するように構成されており、少なくとも１つの撮像手順が、前記少なくとも２つの撮像モードの各々において、異なるように実行され、前記少なくとも２つの撮像モードは、時間的に離間されており、
前記ｘ線源は、前記少なくとも２つの撮像モードのうちの１つにおいて、前記圧迫アームアセンブリに対して移動し、前記フェイスシールドは、すべてのスキャンに対して同一の位置に固定され、前記フェイスシールドは、前記ｘ線源の移動と共に移動しないように構成されている、マルチモード胸部ｘ線撮像システム。
【請求項２】
前記撮像手順は、ｘ線受像器移動技術および照射制御技術を含む群から選択される、請求項１に記載のマルチモード胸部ｘ線撮像システム。
【請求項３】
前記ｘ線受像器は、前記少なくとも２つの撮像モードのうちの１つにおいて揺れ動く、請求項２に記載のマルチモード胸部ｘ線撮像システム。
【請求項４】
前記ｘ線受像器は、前記少なくとも２つの撮像モードのうちの１つにおいて、前記ｘ線源の角度変位よりも小さい角度変位で揺れ動く、請求項３に記載のマルチモード胸部ｘ線撮像システム。
【請求項５】
前記ｘ線受像器は、静止している、請求項１〜４のいずれかに記載のマルチモード胸部ｘ線撮像システム。
【請求項６】
前記ｘ線源および前記ｘ線受像器は、前記少なくとも２つの撮像モードのうちの１つにおいて概して垂直に配置される、請求項１〜５のいずれかに記載のマルチモード胸部ｘ線撮像システム。
【請求項７】
前記照射制御技術は、乳房の厚さに応じて変化する、請求項２〜６のいずれかに記載のマルチモード胸部ｘ線撮像システム。
【請求項８】
前記照射制御技術は、前記乳房の厚さに応じて変化する目標カウントを用いる、請求項７に記載のマルチモード胸部ｘ線撮像システム。
【請求項９】
前記照射制御技術は、前記少なくとも２つの撮像モードのうちの１つ内で変化する、請求項２〜８のいずれかに記載のマルチモード胸部ｘ線撮像システム。
【請求項１０】
前記圧迫アームアセンブリは、圧迫パドルをさらに含み、前記圧迫パドルは、患者の乳房の圧迫のために前記ｘ線源と前記ｘ線受像器との間に配置される、請求項１〜９のいずれかに記載のマルチモード胸部ｘ線撮像システム。
【請求項１１】
前記少なくとも２つの撮像モードは、前記患者の乳房の単一の圧迫の間に起こる、請求項１０に記載のマルチモード胸部ｘ線撮像システム。
【請求項１２】
前記照射制御技術は、前記ｘ線アセンブリの相対角度に従って変化する、請求項２〜１１のいずれかに記載のマルチモード胸部ｘ線撮像システム。
【請求項１３】
前記フェイスシールドは、前記ｘ線源が前記圧迫アームアセンブリに対して移動するときに、前記ｘ線源と共に移動せず、かつ、前記ｘ線源の経路内にはないように構成される、請求項１〜１２のいずれかに記載のマルチモード胸部ｘ線撮像システム。
【請求項１４】
前記フェイスシールドは、前記少なくとも２つの撮像モードのうちの少なくとも１つにおいて除去される、請求項１３に記載のマルチモード胸部ｘ線撮像システム。
【請求項１５】
前記フェイスシールドのサイズは、前記少なくとも２つの撮像モードのうちの１つに対して異なる、請求項１３または１４に記載のマルチモード胸部ｘ線撮像システム。
【請求項１６】
前記フェイスシールドは、前記少なくとも２つの撮像モードの間で異なるように配置されている、請求項１３〜１５のいずれかに記載のマルチモード胸部ｘ線撮像システム。
【請求項１７】
概して前記ｘ線源と前記ｘ線受像器との間に配置された散乱防止グリッドをさらに含む、請求項１〜１６のいずれかに記載のマルチモード胸部ｘ線撮像システム。
【請求項１８】
前記散乱防止グリッドは、前記少なくとも２つの撮像モードのうちの１つにおいて除去される、請求項１７に記載のマルチモード胸部ｘ線撮像システム。
【請求項１９】
前記散乱防止グリッドは、前記少なくとも２つの撮像モードのうちの前記１つに対して前記散乱防止グリッドを格納することによって除去される、請求項１８に記載のマルチモード胸部ｘ線撮像システム。
【請求項２０】
前記少なくとも２つの撮像モードのうちの前記１つは、拡大モードである、請求項１８または１９のいずれかに記載のマルチモード胸部ｘ線撮像システム。
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
レールを介して電力を供給されて走行する鉄道模型用のレール装置であって、
周回状に形成されたレール敷設部を表面に有するベースと、
前記レール敷設部に敷設されたレールと、
を備え、
前記ベースには、電池装填部と、前記電池装填部に装填された電池から前記レールを介して鉄道模型へ供給される電力を制御するコントローラとが設けられており、
前記レール敷設部は前記ベースの表面に凸設されており、
前記ベースの前記表面の前記レール敷設部の内側または外側に嵌め込み可能なパネルを備えるレール装置。
【請求項２】
請求項１において、
前記レールは、帯状の導電性部材からなる一対のレール部材を含み、該一対のレール部材が前記レール敷設部に沿って互いに並行して配置されて一続きに構成されているレール装置。
【請求項３】
請求項２において、
前記レール敷設部には、前記レール部材の側縁部を収容する収容溝と、該収容溝からベースの裏面に達する複数の貫通孔が設けられており、
前記レール部材の側縁部には、前記貫通孔を通して前記ベースの前記裏面に係合する係合爪が設けられているレール装置。
【請求項４】
請求項１乃至請求項３のいずれか一項において、
前記ベースの前記表面を正面視した場合に、２５０ｍｍ×３５３ｍｍのサイズに収まり、
前記レールのカーブ部分の曲率半径が１００ｍｍ以上であるレール装置。
【手続補正２】
【補正対象書類名】明細書
【補正対象項目名】０００８
【補正方法】変更
【補正の内容】
【０００８】
本発明に係るレール装置は、レールを介して電力を供給されて走行する鉄道模型用のレール装置であって、周回状に形成されたレール敷設部を表面に有するベースと、前記レール敷設部に敷設されたレールと、を備え、前記ベースには、電池装填部と、前記電池装填部に装填された電池から前記レールを介して鉄道模型へ供給される電力を制御するコントローラとが設けられている。また、本発明に係るレール装置は、レールを介して電力を供給されて走行する鉄道模型用のレール装置であって、周回状に形成されたレール敷設部を表面に有するベースと、前記レール敷設部に敷設されたレールと、を備え、前記ベースには、電池装填部と、前記電池装填部に装填された電池から前記レールを介して鉄道模型へ供給される電力を制御するコントローラとが設けられており、前記レール敷設部は前記ベースの表面に凸設されており、前記ベースの前記表面の前記レール敷設部の内側または外側に嵌め込み可能なパネルを備えることを特徴とする。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を実行可能な抽選手段と、
前記抽選手段による抽選結果に基づいて演出表示を実行可能な演出表示実行手段と、
前記抽選手段による抽選結果を示唆する示唆演出を実行可能な可動役物と、を備え、
前記可動役物は、
初期位置と、当該可動役物の一部が視認不能な第１位置と、前記第１位置において前記視認不能な部分の少なくとも一部が視認可能となる第２位置と、に動作可能に構成され、
前記示唆演出は、
前記第１位置へ動作した前記可動役物を初期位置に動作し終了する第１示唆演出と、
前記第２位置へ動作した前記可動役物を初期位置に動作し終了する第２示唆演出と、を含み、
前記第１示唆演出と前記第２示唆演出とのいずれが実行される場合においても、前記可動役物は前記第１位置まで動作されるものであり、
前記可動役物が前記第２位置へ移動することによって視認可能となる箇所に発光部を備え、前記第２示唆演出実行時に前記発光部にて発光演出を実行可能に構成され、
前記抽選結果に基づいて特定演出が実行される場合に、前記特定演出に合わせて前記第１示唆演出を実行する
ことを特徴とする遊技機。
【手続補正２】
【補正対象書類名】明細書
【補正対象項目名】０００３
【補正方法】変更
【補正の内容】
【０００３】
この種の遊技機では、役物を動作させることによって大当り図柄が導出表示されるかを遊技者に示唆する演出を実行可能な遊技機が提供されている（特許文献１、特許文献２）。
【手続補正３】
【補正対象書類名】明細書
【補正対象項目名】０００５
【補正方法】変更
【補正の内容】
【０００５】
【特許文献１】特開２００９−１１２８６２号公報
【特許文献２】特開２００９−２０７７０３号公報
【手続補正４】
【補正対象書類名】明細書
【補正対象項目名】０００６
【補正方法】変更
【補正の内容】
【０００６】
しかしながら、このような遊技機ではマンネリ化を招き、遊技者を楽しませることには限界があった。
【手続補正５】
【補正対象書類名】明細書
【補正対象項目名】０００７
【補正方法】変更
【補正の内容】
【０００７】
そこで本発明は、遊技者を楽しませることができる遊技機を提供することを目的とする。
【手続補正６】
【補正対象書類名】明細書
【補正対象項目名】０００８
【補正方法】変更
【補正の内容】
【０００８】
上述の目的を達成するために、本発明は、始動条件の成立に基づいて抽選を実行可能な抽選手段と、前記抽選手段による抽選結果に基づいて演出表示を実行可能な演出表示実行手段と、前記抽選手段による抽選結果を示唆する示唆演出を実行可能な可動役物と、を備え、前記可動役物は、初期位置と、当該可動役物の一部が視認不能な第１位置と、前記第１位置において前記視認不能な部分の少なくとも一部が視認可能となる第２位置と、に動作可能に構成され、前記示唆演出は、前記第１位置へ動作した前記可動役物を初期位置に動作し終了する第１示唆演出と、前記第２位置へ動作した前記可動役物を初期位置に動作し終了する第２示唆演出と、を含み、前記第１示唆演出と前記第２示唆演出とのいずれが実行される場合においても、前記可動役物は前記第１位置まで動作されるものであり、前記可動役物が前記第２位置へ移動することによって視認可能となる箇所に発光部を備え、前記第２示唆演出実行時に前記発光部にて発光演出を実行可能に構成され、前記抽選結果に基づいて特定演出が実行される場合に、前記特定演出に合わせて前記第１示唆演出を実行することを特徴とする遊技機である。
【手続補正７】
【補正対象書類名】明細書
【補正対象項目名】００１０
【補正方法】変更
【補正の内容】
【００１０】
本発明によれば、遊技者を楽しませる遊技機を提供することができる。
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
始動条件の成立に基づいて抽選を実行可能な抽選手段と、
前記抽選手段による抽選結果に基づいて演出表示を実行可能な演出表示実行手段と、
前記抽選手段による抽選結果を示唆する示唆演出を実行可能な可動役物と、を備え、
前記可動役物は、
前記示唆演出が開始されると、収納位置とは異なる遊技者から当該可動役物の一部が視認不可能な待機位置へ移動して煽り演出を行い出現位置へ移動して収納位置へ戻る第１演出と、
前記示唆演出の開始後、前記煽り演出を実行せずに前記出現位置まで移動し、その後、前記収容位置に戻る第２演出と、を実行可能であるとともに、
移動によって視認可能となる箇所に発光部を備え、前記第１演出実行時に前記発光部にて発光演出を実行可能に構成されており、
前記演出表示実行手段により実行される特定の演出表示にあわせて前記示唆演出を実行し、
前記待機位置において、発光部により所定の発光演出を実行可能とすることを特徴とする遊技機。
【手続補正２】
【補正対象書類名】明細書
【補正対象項目名】０００８
【補正方法】変更
【補正の内容】
【０００８】
上述の目的を達成するための遊技機は、始動条件の成立に基づいて抽選を実行可能な抽選手段と、前記抽選手段による抽選結果に基づいて演出表示を実行可能な演出表示実行手段と、前記抽選手段による抽選結果を示唆する示唆演出を実行可能な可動役物と、を備え、前記可動役物は、前記示唆演出が開始されると、収納位置とは異なる遊技者から当該可動役物の一部が視認不可能な待機位置へ移動して煽り演出を行い出現位置へ移動して収納位置へ戻る第１演出と、前記示唆演出の開始後、前記煽り演出を実行せずに前記出現位置まで移動し、その後、前記収容位置に戻る第２演出と、を実行可能であるとともに、移動によって視認可能となる箇所に発光部を備え、前記第１演出実行時に前記発光部にて発光演出を実行可能に構成されており、前記演出表示実行手段により実行される特定の演出表示にあわせて前記示唆演出を実行し、前記待機位置において、発光部により所定の発光演出を実行可能とすることを特徴とするものである。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
前面側に開口を有する筐体と、
前記筐体の前面側で開閉可能であって閉状態で前記開口を閉塞する扉と、
遊技に関する制御を行う制御手段と、
前記開口を正面視した状態での左右両側から前記制御手段を取り外し不可に支持する第１支持手段と、
前記第１支持手段を前記筐体の内部に支持する第２支持手段と、
前記第１支持手段及び前記第２支持手段に対して、頭部が外側に向けられ且つ先端側が外側から内側に向けて挿入された状態で前記第１支持手段を前記第２支持手段に対して取り外し不可に連結される連結部材と、
を備える
ことを特徴とする遊技機。
【手続補正２】
【補正対象書類名】明細書
【補正対象項目名】０００８
【補正方法】変更
【補正の内容】
【０００８】
この発明は、このような目的を達成するために、次のような構成をとる。
すなわち、請求項１に記載の発明は、
前面側に開口を有する筐体と、
前記筐体の前面側で開閉可能であって閉状態で前記開口を閉塞する扉と、
遊技に関する制御を行う制御手段と、
前記開口を正面視した状態での左右両側から前記制御手段を取り外し不可に支持する第１支持手段と、
前記第１支持手段を前記筐体の内部に支持する第２支持手段と、
前記第１支持手段及び前記第２支持手段に対して、頭部が外側に向けられ且つ先端側が外側から内側に向けて挿入された状態で前記第１支持手段を前記第２支持手段に対して取り外し不可に連結される連結部材と、
を備える
ことを特徴とする遊技機である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正書】
【提出日】平成29年6月28日(2017.6.28)
【手続補正１】
【補正対象書類名】特許請求の範囲
【補正対象項目名】全文
【補正方法】変更
【補正の内容】
【特許請求の範囲】
【請求項１】
演出を行う遊技機であって、
第１の位置および第２の位置に移動可能な可動物を備え、
前記可動物は、前記第１の位置と前記第２の位置とで形状が異なる演出が可能であることを特徴とする遊技機。
【請求項２】
前記可動物は、前記第１の位置と当該第１の位置よりも下方に位置する前記第２の位置とで形状が異なる演出が可能であることを特徴とする請求項１に記載の遊技機。
【手続補正２】
【補正対象書類名】明細書
【補正対象項目名】０００４
【補正方法】変更
【補正の内容】
【０００４】
本発明は、遊技の興趣性を高めることが可能な遊技機を提供することを目的とする。
【手続補正３】
【補正対象書類名】明細書
【補正対象項目名】０００５
【補正方法】変更
【補正の内容】
【０００５】
本発明が適用される遊技機は、演出を行う遊技機（例えばパチンコ遊技機１００）であって、第１の位置および第２の位置に移動可能な可動物（例えば上アゴ演出体４）を備え、前記可動物（例えば上アゴ演出体４）は、前記第１の位置と前記第２の位置とで形状が異なる演出が可能であることを特徴とするものである。
ここで、前記可動物（例えば上アゴ演出体４）は、前記第１の位置と当該第１の位置よりも下方に位置する前記第２の位置とで形状が異なる演出が可能であることを特徴とすることができる。
【手続補正４】
【補正対象書類名】明細書
【補正対象項目名】０００７
【補正方法】変更
【補正の内容】
【０００７】
本発明によれば、遊技の興趣性を高めることが可能になる。
【手続補正５】
【補正対象書類名】明細書
【補正対象項目名】０４１３
【補正方法】変更
【補正の内容】
【０４１３】
４…上アゴ演出体（可動物の一例）
１００…パチンコ遊技機（遊技機の一例）
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
前記金属板材には、遊技媒体に設けられた線材を前記隙間に向けて誘導可能な誘導部が設けられ、
前記球送り手段に対する前記金属板材の取付は、該金属板材における前記第１板面部以外の部位でなされるものである
ことを特徴とする遊技機。
【手続補正２】
【補正対象書類名】明細書
【補正対象項目名】０００７
【補正方法】変更
【補正の内容】
【０００７】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材における第１板面部を第２板面部に対して屈曲させて、遊技媒体に設けられた線材の進入しうる隙間が形成された不正防止部材を具備し、
前記球送り手段には、前記不正防止部材を収容可能な収容部が形成され、
前記金属板材には、遊技媒体に設けられた線材を前記隙間に向けて誘導可能な誘導部が設けられ、
前記球送り手段に対する前記金属板材の取付は、該金属板材における前記第１板面部以外の部位でなされるものである
ことを特徴とする。
また、本発明とは別に開示する別発明の手段を以下に示す。
手段１：
「遊技者の操作によって遊技媒体が打ち込まれる遊技領域と、
前記遊技領域に設けられる受入口と、
前記受入口に遊技球が受け入れられることに基づいて内部抽選を行う抽選手段と、
前記抽選手段による内部抽選の結果に基づいて所定の表示演出が行われる表示手段と、
前記内部抽選の結果に基づいて、遊技者に有利な状態に制御可能な有利状態制御手段と、
前記表示演出とは別の演出を行う演出手段としての可動役物と、
前記可動役物を作動させて、前記表示演出とは別の演出である可動演出を行う可動演出制御手段と、
を備え、
前記可動役物は、
所定の態様で行われる外部抽選演出を、該外部抽選演出の結果に基づいて遊技者に有利な状態に制御するかのように実行可能な役物であり、
前記可動演出制御手段は、
前記外部抽選演出の態様を、前記内部抽選の結果に基づいて決定するものの、該外部抽選演出の結果に基づいて前記遊技者に有利な状態に制御されるかのような態様で、前記外部抽選演出を行う
ことを特徴とする遊技機。」
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
所定の遊技動作の発生を示す検出信号に起因して抽選処理を実行し、遊技者に有利な遊技状態を発生させるか否かを決定する遊技機であって、
遊技動作を中心統括的に制御する主制御手段と、前記主制御手段から出力される演出動作用の制御コマンドに基づいて音声演出を含んだ演出動作を制御する演出制御手段と、前記演出制御手段において使用される直流電圧を、交流電圧に基づいて生成する電源手段と、を有して構成され、
前記演出制御手段は、
音声演出動作を含んだ各種の演出制御動作を制御する制御コンピュータ手段と、制御コンピュータ手段の制御プログラムを不揮発的に記憶するプログラム記憶手段と、制御コンピュータ手段からの指示に基づいて、音声演出に必要な音声信号を再生する再生コンピュータ手段と、前記音声信号の基礎データを不揮発的に記憶する音声データ記憶手段と、を有して構成され、
前記電源手段より生成される所定レベルの直流電圧に基づいてリセット信号を生成するリセット手段は、前記所定レベルの直流電圧の降下時には、制御コンピュータ手段と再生コンピュータ手段が、前記リセット信号に基づいてリセット状態に制御されるよう構成されていることを特徴とする遊技機。
【手続補正２】
【補正対象書類名】明細書
【補正対象項目名】０００１
【補正方法】変更
【補正の内容】
【０００１】
本発明は、遊技動作に起因する抽選処理によって大当り状態を発生させる遊技機に関し、より適切化した構成を有する遊技機に関する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
本発明は、上記の構成に鑑みてなされたものであって、より適切化した構成を有する遊技機を提供することを課題とする。
【手続補正６】
【補正対象書類名】明細書
【補正対象項目名】０００９
【補正方法】変更
【補正の内容】
【０００９】
上記の課題を解決するため、本発明は、所定の遊技動作の発生を示す検出信号に起因して抽選処理を実行し、遊技者に有利な遊技状態を発生させるか否かを決定する遊技機であって、遊技動作を中心統括的に制御する主制御手段と、前記主制御手段から出力される演出動作用の制御コマンドに基づいて音声演出を含んだ演出動作を制御する演出制御手段と、前記演出制御手段において使用される直流電圧を、交流電圧に基づいて生成する電源手段と、を有して構成され、前記演出制御手段は、音声演出動作を含んだ各種の演出制御動作を制御する制御コンピュータ手段と、制御コンピュータ手段の制御プログラムを不揮発的に記憶するプログラム記憶手段と、制御コンピュータ手段からの指示に基づいて、音声演出に必要な音声信号を再生する再生コンピュータ手段と、前記音声信号の基礎データを不揮発的に記憶する音声データ記憶手段と、を有して構成され、前記電源手段より生成される所定レベルの直流電圧に基づいてリセット信号を生成するリセット手段は、前記所定レベルの直流電圧の降下時には、制御コンピュータ手段と再生コンピュータ手段が、前記リセット信号に基づいてリセット状態に制御されるよう構成されている。
【手続補正７】
【補正対象書類名】明細書
【補正対象項目名】００１０
【補正方法】変更
【補正の内容】
【００１０】
上記発明では、直流電圧の降下時に、制御コンピュータ手段と再生コンピュータ手段が、前記リセット信号に基づいてリセット状態に制御されるので、電断時などにおいて異常動作が発生することを未然防止できる。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
上記の通り、本発明によれば、遊技機をより適切化することができる。
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
所定の演出を行う遊技機であって、
集合して所定形状をなす複数の装飾部と、
前記複数の装飾部の各々を駆動する駆動部と、
を備え、
前記駆動部は、
回転軸の周りを回転する回転部材を介して前記複数の装飾部の各々を、集合する状態から互いに離間する状態に移行するための移行機構と、
回転軸の周りを回転する他の回転部材を介して前記複数の装飾部の各々を、当該回転軸と交差する方向に延びる軸の周りで回転させるための回転機構と、
を有する
ことを特徴とする遊技機。
【手続補正２】
【補正対象書類名】明細書
【補正対象項目名】０００５
【補正方法】変更
【補正の内容】
【０００５】
上記の目的を達成する本発明は、次のような遊技機として実現される。この遊技機は、所定の演出を行う遊技機（例えば、パチンコ遊技機１００）であって、集合して所定形状をなす複数の装飾部（例えば、反転動作部７１）と、前記複数の装飾部の各々を駆動する駆動部（例えば、反転駆動部７３）と、を備え、前記駆動部は、回転軸の周りを回転する回転部材（伸縮用回転円盤７６５）を介して前記複数の装飾部の各々を、集合する状態から互いに離間する状態に移行するための移行機構（例えば、伸縮機構７３５）と、回転軸の周りを回転する他の回転部材（例えば、第１回転体７５１）を介して前記複数の装飾部の各々を、当該回転軸と交差する方向に延びる軸の周りで回転させるための回転機構（例えば、回転機構７３３）と、を有することを特徴とすることができる。
【手続補正書】
【提出日】平成29年4月5日(2017.4.5)
【手続補正１】
【補正対象書類名】特許請求の範囲
【補正対象項目名】全文
【補正方法】変更
【補正の内容】
【特許請求の範囲】
【請求項１】
所定の遊技動作の発生を示す検出信号に起因して抽選処理を実行し、遊技者に有利な遊技状態を発生させるか否かを決定する遊技機であって、  遊技動作を中心統括的に制御する主制御手段と、前記主制御手段から出力される演出動作用の制御コマンドに基づいて音声演出を含んだ演出動作を制御する演出制御手段と、前記演出制御手段において使用される直流電圧を、交流電圧に基づいて生成する電源手段と、を有して構成され、
前記演出制御手段は、
音声演出動作を含んだ各種の演出制御動作を制御する制御コンピュータ手段と、制御コンピュータ手段の制御プログラムを不揮発的に記憶するプログラム記憶手段と、制御コンピュータ手段からの指示に基づいて、音声演出に必要な音声信号を再生する再生コンピュータ手段と、前記音声信号の基礎データを不揮発的に記憶する音声データ記憶手段と、電源手段から受ける所定レベルの直流電圧に基づいて、５Ｖより低レベルの電源電圧を生成して、制御コンピュータ手段と再生コンピュータ手段に供給する電圧生成手段と、電源手段から受ける前記所定レベルの直流電圧に基づいてリセット信号を生成するリセット手段と、を有して構成され、
前記電源手段は、電源投入を示す電源リセット信号を生成しない一方、電源遮断を示す電断信号を生成するよう構成されていることを特徴とする遊技機。
【手続補正２】
【補正対象書類名】明細書
【補正対象項目名】０００１
【補正方法】変更
【補正の内容】
【０００１】
本発明は、遊技動作に起因する抽選処理によって大当り状態を発生させる遊技機に関し、特に、電源装置その他をより適正化した遊技機に関する。
【手続補正３】
【補正対象書類名】明細書
【補正対象項目名】０００５
【補正方法】変更
【補正の内容】
【０００５】
上記した演出動作は、液晶表示装置での画像演出が中心となるが、この画像演出に連動して、各種のランプを点滅させるランプ演出や、遊技者を盛り上げる音声を出力する音声演出や、可動役物が不意に移動を開始して抽選結果を予告する可動演出などが実行される。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】削除
【補正の内容】
【手続補正６】
【補正対象書類名】明細書
【補正対象項目名】０００９
【補正方法】変更
【補正の内容】
【０００９】
本発明は、上記の構成に鑑みてなされたものであって、電源装置その他をより適正化した遊技機を提供することを課題とする。
【手続補正７】
【補正対象書類名】明細書
【補正対象項目名】００１０
【補正方法】変更
【補正の内容】
【００１０】
上記の課題を解決するため、本発明は、所定の遊技動作の発生を示す検出信号に起因して抽選処理を実行し、遊技者に有利な遊技状態を発生させるか否かを決定する遊技機であって、遊技動作を中心統括的に制御する主制御手段と、前記主制御手段から出力される演出動作用の制御コマンドに基づいて音声演出を含んだ演出動作を制御する演出制御手段と、前記演出制御手段において使用される直流電圧を、交流電圧に基づいて生成する電源手段と、を有して構成され、前記演出制御手段は、音声演出動作を含んだ各種の演出制御動作を制御する制御コンピュータ手段と、制御コンピュータ手段の制御プログラムを不揮発的に記憶するプログラム記憶手段と、制御コンピュータ手段からの指示に基づいて、音声演出に必要な音声信号を再生する再生コンピュータ手段と、前記音声信号の基礎データを不揮発的に記憶する音声データ記憶手段と、電源手段から受ける所定レベルの直流電圧に基づいて、５Ｖより低レベルの電源電圧を生成して、制御コンピュータ手段と再生コンピュータ手段に供給する電圧生成手段と、電源手段から受ける前記所定レベルの直流電圧に基づいてリセット信号を生成するリセット手段と、を有して構成され、前記電源手段は、電源投入を示す電源リセット信号を生成しない一方、電源遮断を示す電断信号を生成するよう構成されている。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明は、弾球遊技機に限定されず、回胴遊技機やその他の遊技機に適用するのが好適である。
【手続補正１５】
【補正対象書類名】明細書
【補正対象項目名】００１８
【補正方法】変更
【補正の内容】
【００１８】
上記の通り、本発明によれば、電源装置その他をより適正化した省電力構成の遊技機を実現することができる。
【手続補正書】
【提出日】平成29年3月27日(2017.3.27)
【手続補正１】
【補正対象書類名】明細書
【補正対象項目名】００２２
【補正方法】変更
【補正の内容】
【００２２】
追加識別器学習部１１７は、学習サンプル取得部１１２から入力された学習サンプル群及び分類ラベル群、第一の識別部１０６ｂから入力された第一の尤度、を用いて、識別部１０１が有する第二の識別部１０７を構成する弱識別器の集合を作成する。
【手続補正２】
【補正対象書類名】明細書
【補正対象項目名】００２４
【補正方法】変更
【補正の内容】
【００２４】
次に、識別部１０１について説明する。
【手続補正３】
【補正対象書類名】明細書
【補正対象項目名】００５３
【補正方法】変更
【補正の内容】
【００５３】
そしてこの（式４）に従って各重みを更新後、全ての重みの和が１となるように、それぞれの重みを正規化する。次に、ステップＳ４０７では、追加識別器学習部１１７は、学習の終了条件を満たす否かを判定する。本実施形態では、例えば、Ｐｏｓｉｔｉｖｅ  Ｒｅｊｅｃｔｉｏｎ  Ｒａｔｉｏが事前に定められたしきい値より小さいかつＮｅｇａｔｉｖｅ  Ｒｅｊｅｃｔｉｏｎ  Ｒａｔｉｏが同じく事前に定められたしきい値より大きい場合、終了条件を満たすと判定する。それ以外の場合、満たさないと判定する。
【手続補正４】
【補正対象書類名】明細書
【補正対象項目名】００５６
【補正方法】変更
【補正の内容】
【００５６】
次に、上記のステップＳ４０３における処理の詳細について、図５のフローチャートを用いて説明する。図５の処理は、画像特徴ベクトルを識別する弱識別器の候補群、コンテクスト特徴ベクトルを識別する弱識別器の候補群、画像特徴ベクトルとコンテクスト特徴ベクトルとの組み合わせを識別する弱識別器の候補群、を生成するための処理である。具体的には、ステップＳ５０１のループ（ステップＳ５０２及びＳ５０３）では、画像特徴ベクトルを識別する弱識別器の候補群を生成すると共に、それぞれの候補の評価スコアを算出する。ステップＳ５０４のループ（ステップＳ５０５及びＳ５０６）では、コンテクスト特徴ベクトルを識別する弱識別器の候補群を生成すると共に、それぞれの候補の評価スコアを算出する。ステップＳ５０７のループ（ステップＳ５０８及びＳ５０９）では、画像特徴ベクトルとコンテクスト特徴ベクトルとの組み合わせを識別する弱識別器の候補群を生成すると共に、それぞれの候補の評価スコアを算出する。
【手続補正５】
【補正対象書類名】明細書
【補正対象項目名】００６１
【補正方法】変更
【補正の内容】
【００６１】
ステップＳ５０２では、識別器候補生成部１１９は、画像特徴ベクトルを識別する弱識別器の候補群を生成する。ここで、画像特徴ベクトルの任意の次元の要素における弱識別器候補の生成方法について説明する。非特許文献２によれば、（式５）の弱識別器候補はさらに（式６）のように表わされる。
【手続補正６】
【補正対象書類名】明細書
【補正対象項目名】００６７
【補正方法】変更
【補正の内容】
【００６７】
次に、ステップＳ５０３では、識別器候補生成部１１９は、ステップＳ５０２で生成された弱識別器候補himageの評価スコアｚを算出する。評価スコアｚは、例えば、以下の（式８）に従って算出する。
【手続補正７】
【補正対象書類名】明細書
【補正対象項目名】００７１
【補正方法】変更
【補正の内容】
【００７１】
ステップＳ５０５では、識別器候補生成部１１９は、コンテクスト特徴ベクトルを識別する弱識別器の候補群を生成する。ここで、コンテクスト特徴ベクトルから弱識別器候補を生成する処理について、より詳細に説明する。コンテクスト特徴ベクトルを識別する弱識別器候補は、同じくＲｅａｌ  ＡｄａＢｏｏｓｔに基づき、以下の（式９）のように表わされる。
【手続補正８】
【補正対象書類名】明細書
【補正対象項目名】００７６
【補正方法】変更
【補正の内容】
【００７６】
ここで、ａ，ｂは一次関数の係数である。ここで、コンテクスト特徴ベクトルの観測には誤差が生じると考えられる。また、検出対象物体の高さは実際には一定ではない場合も考えられる。そこで、コンテクスト特徴ベクトルには正規分布誤差が生じていると仮定すると、（式９）中の確率密度分布Ｐ（ｃ｜ｙ＝＋１）は以下の（式１１）で表わされる。
【手続補正９】
【補正対象書類名】明細書
【補正対象項目名】００８８
【補正方法】変更
【補正の内容】
【００８８】
ステップＳ５０８では、識別器候補生成部１１９は、画像特徴ベクトルとコンテクスト特徴ベクトルとの組み合わせを識別する弱識別器の候補群を生成する。画像特徴ベクトルとコンテクスト特徴ベクトルの組み合わせから弱識別器候補を生成する処理について、より詳細に説明する。画像特徴ベクトルとコンテクスト特徴ベクトルを識別する弱識別器候補は、同じくＲｅａｌ  ＡｄａＢｏｏｓｔに基づき、以下の（式１３）のように表わされる。
【手続補正１０】
【補正対象書類名】明細書
【補正対象項目名】０１００
【補正方法】変更
【補正の内容】
【０１００】
ステップＳ６０５では第二の識別部１０７は、ステップＳ６０２で抽出した画像特徴ベクトルｖと、ステップＳ６０３で取得したコンテクスト特徴ベクトルと、を連結したベクトルｘに対し、第二の識別部１０７の第二の尤度Ｈ２（ｘ）を算出する。ここで、第二の尤度は、ステップＳ６０２で取得した部分画像の識別対象物体らしさを表す数値である。第二の尤度Ｈ２（ｘ）は、以下の（式１５）に示すように、第二の識別部１０７であるＨ２を構成する弱識別器ｈによる尤度の和で計算される。
【手続補正１１】
【補正対象書類名】明細書
【補正対象項目名】０１０２
【補正方法】変更
【補正の内容】
【０１０２】
なお、（式１５）において、ステップＳ５０２で生成された第二の識別部１０７（Ｈ２）を構成する弱識別器ｈの評価には、識別サンプルｘ中の画像特徴ベクトルｖのみを使用する。また、ステップＳ５０５で生成された第二の識別部１０７（Ｈ２）を構成する弱識別器ｈの評価には、識別サンプルｘ中のコンテクスト特徴ベクトルｃのみを使用する。また、ステップＳ５０８で生成された第二の識別部１０７（Ｈ２）を構成する弱識別器ｈの評価には、識別サンプルｘ中の画像特徴ベクトルｖとコンテクスト特徴ベクトルｃの両方を使用する。
【手続補正１２】
【補正対象書類名】明細書
【補正対象項目名】０１０６
【補正方法】変更
【補正の内容】
【０１０６】
ステップＳ６０７では、統合識別部１０８は、ステップＳ６０６で算出した統合尤度Ｈ（ｘ）が事前に定められた一定値より大きかった場合には、ステップＳ６０２で取得した部分画像を検出対象物体に分類する。
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
複数の写真情報を含む画像データと、各々が顔画像情報と関連付けられた登録人数分の個人情報である情報端末登録データとに基づき、画像処理を行う画像処理装置であって、
前記画像データ及び前記情報端末登録データを受け、前記複数の写真情報それぞれと前記登録人数分の前記顔画像情報それぞれとを画像比較し、前記写真情報単位に前記顔画像情報が合致した前記個人情報を関連づけた相関画像データを得る画像判定部と、
前記情報端末登録データに基づき、前記登録人数分の個人情報を複数種の識別項目に分類した個人情報識別データを得る識別項目分類処理を実行する個人情報識別部と、
前記相関画像データ及び前記個人情報識別データに基づき、前記画像データにおける前記複数の写真情報の少なくとも一部に、前記複数種の識別項目のいずれかを関連付けた態様の表示用画像を表示用画面上に表示する画像表示手段とを備える、
画像処理装置。
【請求項２】
請求項１記載の画像処理装置であって、
前記画像表示手段は、前記複数の写真情報のうち印刷対象の写真情報を指示する印刷制御信号をさらに出力し、
前記画像処理装置は、
前記印刷制御信号に基づき、前記画像データにおける前記複数の写真情報を選択的に印刷する写真印刷部をさらに備える、
画像処理装置。
【請求項３】
請求項１または請求項２記載の画像処理装置であって、
前記情報端末登録データを保持する情報端末は他の通信機器とのコミュニケーション機能を有し、
前記登録人数分の個人情報は、
前記顔画像情報と関連づけられ、少なくとも前記コミュニケーション機能の利用相手を指示するコミュニケーション利用者情報と、
前記コミュニケーション機能の利用履歴を利用相手を特定して示すコミュニケーション履歴情報とをさらに含み、
前記個人情報識別部は、前記コミュニケーション履歴情報に基づき、前記情報端末のユーザーの前記コミュニケーション機能の利用頻度に対応させる形式で前記複数種の識別項目を分類する、前記識別項目分類処理を実行する、
画像処理装置。
【請求項４】
請求項３記載の画像処理装置であって、
前記コミュニケーション機能は他の通信機器との電話機能を含み、
前記コミュニケーション履歴情報は、前記電話機能の利用履歴を利用相手を特定して示す電話履歴情報を含み、
前記個人情報識別部は、前記電話履歴情報に基づき、前記情報端末のユーザーの前記電話機能の利用頻度に対応させる形式で前記複数種の識別項目を分類する、前記識別項目分類処理を実行する、
画像処理装置。
【請求項５】
請求項３記載の画像処理装置であって、
前記コミュニケーション機能は他の通信機器との電子メール機能を含み、
前記コミュニケーション履歴情報は、前記電子メール機能の利用履歴を利用相手を特定して示す電子メール履歴情報を含み、
前記個人情報識別部は、前記電子メール履歴情報に基づき、前記情報端末のユーザーの前記電子メール機能の利用頻度に対応させる形式で前記複数種の識別項目を分類する、前記識別項目分類処理を実行する、
画像処理装置。
【請求項６】
請求項３から請求項５のうち、いずれか１項に記載の画像処理装置であって、
前記個人情報識別部は、指定期間における前記情報端末のユーザーの前記コミュニケーション機能の利用頻度に対応させる形式で前記識別項目分類処理を実行する期間指定分類機能を備える、
画像処理装置。
【請求項７】
請求項１から請求項６のうち、いずれか１項に記載の画像処理装置であって、
前記登録人数分の個人情報は、
前記情報端末のユーザーとの関係性をグループ単位に示すグループ情報をさらに含み、
前記個人情報識別部は、前記グループ情報単位に、前記識別項目分類処理を実行する、
画像処理装置。
【請求項８】
(a) 複数の写真情報を含む画像データと、各々が顔画像情報と関連付けられた登録人数分の個人情報である情報端末登録データを入力するステップと、
(b) 前記画像データで規定される複数の写真情報それぞれと、前記情報端末登録データにおける前記登録人数分の前記顔画像情報それぞれとを画像比較し、前記写真情報単位に顔画像情報が合致した個人情報を関連づけた相関画像データを得るステップと、
(c) 前記情報端末登録データに基づき、前記登録人数分の個人情報を複数種の識別項目に分類した個人情報識別データを得るステップと、
(d) 前記相関画像データ及び前記情報端末登録データに基づき、前記画像データにおける前記複数の写真情報の少なくとも一部に、前記ステップ(c) で分類した複数種の識別項目のいずれかを関連付けた態様の表示用画像を表示用画面上に表示するステップと、
を備える画像処理方法。
【手続補正２】
【補正対象書類名】明細書
【補正対象項目名】０００９
【補正方法】変更
【補正の内容】
【０００９】
請求項１記載の本願発明である画像処理装置における画像表示手段は、画像判定部及び個人情報識別部より得られた相関画像データ及び前記個人情報識別データに基づき、複数の写真情報の少なくとも一部に、複数種の識別項目のいずれかを関連付けた態様の表示用画像を表示用画面上に表示するため、表示用画面に表示される表示用画像から、写真情報と情報端末のユーザーとの関連性を容易に理解することができる。この際、情報端末のユーザーは特に操作を要しないため、情報端末のユーザーに負担かけることもない。
【手続補正３】
【補正対象書類名】明細書
【補正対象項目名】００６７
【補正方法】変更
【補正の内容】
【００６７】
ステップＳ５でＹＥＳの場合に実行されるステップＳ６において、相関表示作成手段２５の判定部２５２は、電話帳データＤ２に登録されている顔画像（顔画像データＦＤ）との比較処理を実行する。すなわち、判定部２５２は、一つの顔検出写真情報と、電話帳データＤ２に保存されている登録人数分のユーザー（本人もしくは利用相手）の顔画像情報（以下、「ユーザー顔画像」と略記）とを比較して、顔検出写真情報について、ユーザー顔画像に合致するか否かを判定する。
【手続補正４】
【補正対象書類名】明細書
【補正対象項目名】００９０
【補正方法】変更
【補正の内容】
【００９０】
例えば、図６(b) で示す個人情報識別データＤ２３では、ユーザーＡのグループ設定は「友人」であり、コミュニケーション機能の利用頻度はランク３に分類される。また、ユーザーＢのグループ設定は「家族・親戚」であり、コミュニケーション機能の利用頻度はランク１に分類され、ユーザーＣのグループ設定は「同僚」であり、コミュニケーション機能の利用頻度はランク２に分類される。したがって、各グループがユーザーＡ，Ｂ，Ｃに代表される場合、グループ単位のコミュニケーション機能の利用頻度は、家族・親戚がランク１、同僚がランク２、友人がランク３に分類される。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
固体発光素子と、
長尺状であり、一方の面に前記固体発光素子が実装された基板と、
片側の面の一部に前記基板の他方の面が設置され、前記片側の面の前記基板が設置されていない個所の少なくとも一部には放熱促進部が設けられたヒートシンクと、を備え、
前記放熱促進部は、前記ヒートシンクの素材よりも熱放射率が高く、
透光性を有したカバーに少なくとも前記固体発光素子と前記基板と前記ヒートシンクの前記片側の面が覆われる光源モジュール。
【請求項２】
前記ヒートシンクの素材は、アルミニウムであり、
前記放熱促進部は、アルマイトの層である請求項１に記載の光源モジュール。
【請求項３】
前記放熱促進部は、白アルマイトの層である請求項２に記載の光源モジュール。
【請求項４】
前記放熱促進部は、放熱塗料で形成された層である請求項１に記載の光源モジュール。
【請求項５】
前記放熱促進部は、放熱シートである請求項１に記載の光源モジュール。
【請求項６】
請求項１から５のいずれか一項に記載の光源モジュールと、
筒状であり、内部に前記光源モジュールを収納する、透光性を有したカバーと、
前記カバーの両端に取り付けられる口金と、を備え、
前記光源モジュールは、前記カバーの内面と前記口金と前記基板を基準として前記光源モジュールの固体発光素子側の面とで形成される空間の体積が、前記カバーの内面と前記口金と前記基板を基準として前記光源モジュールのヒートシンク側の面とで形成される空間の体積よりも大きくなるように前記カバーに収納される照明ランプ。
【請求項７】
前記光源モジュールの前記ヒートシンク側の面には、内部に前記固体発光素子と電気的に接続されている電源装置を設置されている請求項６に記載の照明ランプ。
【請求項８】
前記電源装置を収納する電源ボックスが前記光源モジュールの前記ヒートシンク側の面に設置され、
前記電源ボックスの熱放射率は前記放熱促進部の熱放射率よりも低い請求項７に記載の照明ランプ。
【請求項９】
請求項１から５のいずれか一項に記載の光源モジュールと、
少なくとも前記光源モジュールの固体発光素子側の面を覆っている、透光性を有したカバーと、
前記固体発光素子と電気的に接続されている電源装置と、
を備えている照明装置。
【請求項１０】
前記カバーは、前記光源モジュールと前記電源装置を収納する内部空間を形成しており、
前記内部空間は、前記光源モジュールによって前記基板を基準とした固体発光素子側の空間とヒートシンク側の空間とに分けられており、
前記電源装置は、前記ヒートシンク側の空間に面するように前記ヒートシンクに設置されている請求項９に記載の照明装置。
【請求項１１】
前記電源装置を収納する電源ボックスは、前記前記ヒートシンク側の空間に面するよう前記ヒートシンクに配置されており、
前記電源ボックスの熱放射率は前記放熱促進部の熱放射率よりも低い請求項１０に記載の照明装置。